【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
カートリッジアセンブリであって、
使い捨てカートリッジと毛細管とを備え、
前記使い捨てカートリッジは、
試料流体を受けるように構成された入口と、
少なくとも１つの圧迫可能チャンバであって、表面の少なくとも一部が圧迫可能部分を有する前記少なくとも１つの圧迫可能チャンバと、
前記少なくとも１つの圧迫可能チャンバに事前装填され封止されている流体試薬であって、
前記少なくとも１つの圧迫可能チャンバが、入口封止部材に配置されており、
前記入口封止部材が壊れていない場合には、前記流体試薬が前記入口を介して前記少なくとも１つの圧迫可能チャンバから流出することを前記入口封止部材が防止する、前記流体試薬と、
少なくとも１つの壊れやすい封止材であって、前記少なくとも１つの壊れやすい封止材に対して前記少なくとも１つの圧迫可能チャンバの内容物により加えられた圧力によって開くように構成されている少なくとも前記１つの壊れやすい封止材とを備え、
前記毛細管は、前記流体試薬を前記入口を介して前記使い捨てカートリッジに入れるように構成されており、
前記毛細管は、前記毛細管を前記入口封止部材の位置を超えて挿入することにより前記入口封止部材を壊すように構成されており、
前記入口封止部材は、前記毛細管が前記少なくとも１つの圧迫可能チャンバに挿入された場合に、前記毛細管の周囲を封止するように構成されている、
カートリッジアセンブリ。
【請求項２】
前記入口封止部材は、
入口封止材と毛細封止材を備え、
前記入口封止材は、前記入口封止材が壊れていない場合には、前記流体試薬が前記入口を介して前記少なくとも１つの圧迫可能チャンバから流出することを防止し、
前記毛細封止材は、前記毛細管を介して前記少なくとも１つの圧迫可能チャンバに挿入された前記毛細管の周囲を封止するように構成されている、
請求項１に記載のカートリッジアセンブリ。
【請求項３】
第１端部と第２端部を有する前記毛細管と、
前記毛細管の中に配置されたバリアであって、前記流体試薬が前記第１端部を介して前記毛細管に流入することに伴って、前記毛細管の中の空気が前記第２端部から出ることを許容し、前記毛細管の内部の空気を置換し、前記流体試薬の通過を防止する、前記バリアと、
を備える請求項１に記載のカートリッジアセンブリ。
【請求項４】
前記流体試薬が前記第１端部を介して前記毛細管に流入した後に、前記第１端部に向かう前記バリアのその後の動きが、前記少なくとも１つの圧迫可能チャンバに所定量の前記流体試薬を放出するように構成されている、
を備える請求項３に記載のカートリッジアセンブリ。
【請求項５】
前記流体試薬が少なくとも一つの高分子量ポリマーを含む、
を備える請求項１に記載のカートリッジアセンブリ。
【請求項６】
前記少なくとも１つの圧迫可能チャンバが、第１のコンパートメントと第２のコンパートメントによって画定されており、前記少なくとも１つの圧迫可能チャンバの狭窄が前記第１のコンパートメントを前記第２のコンパートメントに連通させている、
請求項１に記載のカートリッジアセンブリ。
【請求項７】
前記使い捨てカートリッジが、分析ユニットを備え、前記分析ユニットは、前記少なくとも１つの圧迫可能チャンバの下流に配置された開口を出る出口流体の分析を行い、
前記少なくとも１つの圧迫可能チャンバが、前記１つの壊れやすい封止材を開くことによって前記分析ユニットに連通可能に接続される、
請求項１に記載のカートリッジアセンブリ。
【請求項８】
前記分析ユニットが、半透明表面を備える、
請求項７に記載のカートリッジアセンブリ。
【請求項９】
前記バリアは、疎水性メンブレンである、
請求項３に記載のカートリッジアセンブリ。
【請求項１０】
前記疎水性メンブレンは、前記流体試薬を吸収しない、
請求項９に記載のカートリッジアセンブリ。
【請求項１１】
前記毛細管は、抗凝血剤によってコーティングされている、
請求項１に記載のカートリッジアセンブリ。
【請求項１２】
前記抗凝血剤は、エチレンジアミン四酢酸である、
請求項１１に記載のカートリッジアセンブリ。
【請求項１３】
請求項３のカートリッジアセンブリを備えるシステムであって、
前記毛細官の前記第２の端部に挿入され前記毛細官の前記第１の端部に向かうプランジャであって、前記第１端部に向かう前記バリアの前記その後の動きと、前記少なくとも１つの圧迫可能チャンバへの前記流体試薬の放出とを、引き起こす前記プランジャを備える、
システム。
【請求項１４】
前記少なくとも１つの圧迫可能チャンバは、第１の圧迫可能チャンバと第２の圧迫可能チャンバとを備え、
前記毛細官は、１対の毛細官を備え、前記１対の毛細官の第１毛細官は、前記１対の毛細官の第２毛細官と共に前記使い捨てカートリッジに挿入可能であり、
前記１対の毛細官の第１毛細官は、前記試薬流体を前記第１の圧迫可能チャンバに導入可能に構成されており、前記１対の毛細官の第２毛細官は、前記試薬流体を前記第２の圧迫可能チャンバに導入可能に構成されており、
前記第１の圧迫可能チャンバと前記第２の圧迫可能チャンバの下流に配置された流路の開口を出る出口流体の分析を行う分析ユニットを備え、
前記第１の圧迫可能チャンバと前記第２の圧迫可能チャンバは、前記流路を介して前記分析ユニットに連通可能に接続される、
請求項１に記載のカートリッジアセンブリ。
【請求項１５】
前記少なくとも１つの圧迫可能チャンバは、粘弾性フォーカシング特性を有するフォーカシング媒体を備え、前記フォーカシング媒体は、前記少なくとも１つの圧迫可能チャンバの下流に配置された前記出口を出る前記出口流体の一部を形成し、
前記フォーカシング媒体は、前記試薬流体の細胞が前記分析ユニットのマイクロチャネルを流れるに伴って、前記試薬流体の前記細胞を単一平面に並べるように構成されている、
請求項７に記載のカートリッジアセンブリ。
【請求項１６】
前記フォーカシング媒体は、少なくとも１つの高分子量ポリマーを含む、
請求項１５に記載のカートリッジアセンブリ。
【手続補正２】
【補正対象書類名】明細書
【補正対象項目名】０１６８
【補正方法】変更
【補正の内容】
【０１６８】
〔第１の付記１〕
分析対象の細胞を含む試料流体の調製に用いる使い捨てカートリッジであって、
１つ以上の並列な調製部を備え、各調製部は、
壊れやすい封止材に挟まれて密封され、直列接続された１つ以上のチャンバを備え、各チャンバは、入力流体を受け取り、前記流体に作用する手順を実施して出力流体を発生させ、前記出力流体を放出するように構成されており、
前記１つ以上のチャンバのうちの第１のチャンバが、第１の開口と結合された圧迫可能なチャンバであり、
前記１つ以上のチャンバのうちの最後のチャンバが、第２の開口と結合されており、
前記第１のチャンバの入力流体は、前記試料流体であり、
前記１つ以上の調製部は、前記第２の開口を介して搬送可能な前記各出力流体の分析を実施するコンパートメントと結合可能である、
使い捨てカートリッジ。
〔第１の付記２〕
前記１つ以上の並列な調製部のうちの少なくとも１つに含まれる前記１つ以上の圧迫可能チャンバは、前記１つ以上の並列な調製部にある前記第１のチャンバ及び前記最後のチャンバである単一チャンバを含む、第１の付記１に記載の使い捨てカートリッジ。
〔第１の付記３〕
前記１つ以上の並列な調製部にある前記１つ以上の圧迫可能チャンバは、それぞれがそれぞれの物質を含む、第１の付記１又は２に記載の使い捨てカートリッジ。
〔第１の付記４〕
前記１つ以上の調製部のうちの少なくとも１つにおける前記チャンバのうちの１つ以上が、相互接続されたコンパートメントを含む、第１の付記１から３のいずれか一項に記載の使い捨てカートリッジ。
〔第１の付記５〕
圧迫可能チャンバを密封する前記壊れやすい封止材は、壊れやすい先行封止材及び壊れやすい後続封止材を含む、第１の付記１から４のいずれか一項に記載の使い捨てカートリッジ。
〔第１の付記６〕
前記１つ以上の並列な調製部のそれぞれにおいて、前記第１のチャンバの前記壊れやすい先行封止材は、前記第１の開口を通る、前記第１のチャンバからの流れを阻止する、第１の付記５に記載の使い捨てカートリッジ。
〔第１の付記７〕
前記１つ以上の並列な調製部のそれぞれにおいて、前記最後のチャンバの前記壊れやすい後続封止材は、前記第２の開口を通る、前記各調製部からの流れを阻止する、第１の付記５に記載の使い捨てカートリッジ。
〔第１の付記８〕
前記１つ以上の並列な調製部のそれぞれにおいて、前記第１のチャンバは、第１のチャネルを介して、前記第１の開口と結合されている、第１の付記５から７のいずれか一項に記載の使い捨てカートリッジ。
〔第１の付記９〕
前記第１のチャンバの前記先行封止材は、前記第１のチャネルの内面と、前記試料流体を前記第１のチャンバに投入することに使用可能な搬送具との間に発生しうる空間を通って流体が流れるのを防ぐように構成されている、第１の付記８に記載の使い捨てカートリッジ。
〔第１の付記１０〕
前記第１のチャンバの前記先行封止材は、
前記搬送具により前記試料流体を前記第１のチャンバに投入する前に、前記第１の開口を通る、前記第１のチャンバからの流れを阻止するように構成されている第１の壊れやすい封止材と、
前記試料流体の投入後に流体が前記空間を通って流れるのを防ぐように構成されている第２の封止材と、を備える、
第１の付記９に記載の使い捨てカートリッジ。
〔第１の付記１１〕
前記１つ以上の並列な調製部のそれぞれにおいて、前記第１の圧迫可能チャンバの前記壊れやすい先行封止材は、前記試料流体を前記第１のチャンバに投入することに使用可能な搬送具によって壊れるように構成されている、第１の付記５から８のいずれか一項に記載の使い捨てカートリッジ。
〔第１の付記１２〕
前記１つ以上の並列な調製部のそれぞれにおいて、前記第１の圧迫可能チャンバの前記壊れやすい先行封止材は、前記搬送具によって壊れるように構成されている、第１の付記９に記載の使い捨てカートリッジ。
〔第１の付記１３〕
前記第１の壊れやすい封止材は、前記搬送具によって壊れるように構成されている、第１の付記１０に記載の使い捨てカートリッジ。
〔第１の付記１４〕
前記壊れやすい後続封止材は、圧力によって壊れるように構成されている、第１の付記５から１３のいずれか一項に記載の使い捨てカートリッジ。
〔第１の付記１５〕
前記１つ以上の並列な調製部のそれぞれにおいて、前記最後のチャンバは、第２のチャネルを介して、前記第２の開口と結合されており、前記第２のチャネルは封止可能である、第１の付記１から１４のいずれか一項に記載の使い捨てカートリッジ。
〔第１の付記１６〕
前記１つ以上の並列な調製部のうちの少なくとも１つが、１つ以上の接続チャネルを介して直列接続されている２つ以上の圧迫可能チャンバを含み、前記１つ以上の接続チャネルのうちの少なくとも１つは封止可能である、第１の付記１から１５のいずれか一項に記載の使い捨てカートリッジ。
〔第１の付記１７〕
前記１つ以上の並列な調製部のそれぞれが、前記試料流体を前記第１のチャンバの空間に直接投入することに使用可能な搬送具を投入するように構成されている、第１の付記１から１５のいずれか一項に記載の使い捨てカートリッジ。
〔第１の付記１８〕
反応を実施することは、前記入力流体と物質とを混合することである、第１の付記１から１７のいずれか一項に記載の使い捨てカートリッジ。
〔第１の付記１９〕
前記圧迫可能チャンバは、前記圧迫可能チャンバの１つ以上の圧迫可能部分にかけることのできる圧力によって引き起こされる噴流によって混合を行うように構成されている、第１の付記１８に記載の使い捨てカートリッジ。
〔第１の付記２０〕
前記１つ以上の調製部のうちの少なくとも１つにおける前記チャンバのうちの１つ以上が、相互接続されたコンパートメントを含み、前記相互接続されたコンパートメントのうちの少なくとも１つが圧迫可能部分を含む、第１の付記１９に記載の使い捨てカートリッジ。
〔第１の付記２１〕
各コンパートメントは圧迫可能部分を含む、第１の付記２０に記載の使い捨てカートリッジ。
〔第１の付記２２〕
試料流体の派生物を取得することと、前記流体のパラメータを取得することを目的とする分析が可能となるように前記派生物を提示することと、を行う分析コンパートメントであって、
少なくとも１つの分析部を備え、各分析部は、
前記派生物のうちの１つ以上を取得することと、前記派生物を、分析が可能となるように提示することと、を行うように構成された中空部材を備える、
分析コンパートメント。
〔第１の付記２３〕
前記少なくとも１つの分析部のうちの１つ以上における前記中空部材は、前記派生物のうちの第１の派生物を提示用として取得してから、前記派生物のうちの第２の派生物を提示用として取得するように構成されている、第１の付記２２に記載の分析コンパートメント。
〔第１の付記２４〕
前記少なくとも１つの分析部は、少なくとも２つの分析部を含み、前記少なくとも２つの分析部は、並列に結合され、２種類の分析を並行して実施することが可能となるように、前記試料流体の派生物を提示するように構成されている、第１の付記２２又は２３に記載の分析コンパートメント。
〔第１の付記２５〕
前記少なくとも１つの分析部のうちの１つ以上の分析部における前記中空部材はチャンバであり、前記少なくとも１つの分析部のうちの前記１つ以上の分析部は更に、
前記チャンバと結合された、断面積の小さいチャネルを備え、前記断面積の小さいチャネルは、前記チャンバ内の前記試料流体の派生物の流れを減速させるように構成されている、
第１の付記２２から２４のいずれか一項に記載の分析コンパートメント。
〔第１の付記２６〕
前記少なくとも１つの分析部のうちの前記１つ以上の分析部における前記チャンバの内面が、薬剤によるコーティングが可能な突起群を有し、前記突起群は、前記薬剤と前記試料流体の前記派生物との間の接触面積を大きくするように構成されている、第１の付記２５に記載の分析コンパートメント。
〔第１の付記２７〕
細胞を含む試料流体を取得することと、前記試料流体を分析の為に調製することと、を行う使い捨てカートリッジであって、
少なくとも２つの接続されたチャンバの系列を備え、前記少なくとも２つのチャンバは第１のチャンバ及び最後のチャンバを含み、前記系列内の各チャンバは、壊れやすい封止材に挟まれて密封されており、入力が前記試料流体の第１の派生物であり、出力が前記試料流体の第２の派生物である手順を実施するように構成されており、
前記系列内の前記各チャンバは、連続する手順を実施するように構成されており、
前記第１のチャンバによって取得可能な前記第１の派生物は、前記試料流体であり、前記第１のチャンバ以外の全てのチャンバのそれぞれによって取得可能な前記第１の派生物は、前記系列内の各先行チャンバのそれぞれの前記第２の派生物である、
使い捨てカートリッジ。
〔第１の付記２８〕
前記封止材は、
前記第１の派生物を取得する前にそれぞれのチャンバを封止するように構成された先行封止材と、
前記それぞれのチャンバから前記第２の派生物を放出する為に破れるように構成された後続封止材と、を備える、
第１の付記２７に記載の使い捨てカートリッジ。
〔第１の付記２９〕
前記先行封止材は、壊れやすい封止材である、第１の付記２８に記載の使い捨てカートリッジ。
〔第１の付記３０〕
前記先行封止材は、再封止可能な封止材である、第１の付記２３に記載の使い捨てカートリッジ。
〔第１の付記３１〕
前記後続封止材は、壊れやすい封止材である、第１の付記２３に記載の使い捨てカートリッジ。
〔第２の付記１〕
使い捨てカートリッジであって、
血液を含む試料流体を受けるように構成された入口と、
第１の試薬チャンバであって、前記第１の試薬チャンバの表面の少なくとも一部が圧迫可能部分を有する、前記第１の試薬チャンバと、
前記第１の試薬チャンバに事前装填され封止されている第１の試薬と、
第２の試薬チャンバであって、前記第２の試薬チャンバの表面の少なくとも一部が圧迫可能部分を有する、前記第２の試薬チャンバと、
前記第２の試薬チャンバに事前装填され封止されている第２の試薬と、
前記第１の試薬チャンバと前記第２の試薬チャンバを内通する流体チャネルであって、前記流体チャネル、前記第１の試薬チャンバ、及び前記第２の試薬チャンバが流路を画定する、前記流体チャネルと、
前記第１の試薬チャンバと前記第２の試薬チャンバの間の流れを阻止する、第１の壊れやすい封止材とを備え、
前記第１の壊れやすい封止材が、前記第１の壊れやすい封止材に対する前記第１の試薬チャンバ又は前記第２の試薬チャンバの内容物により加えられた圧力によって開くように構成されており、
前記第１の壊れやすい封止材が開いた時に前記第１の試薬が前記第２の試薬に接触するように、前記使い捨てカートリッジが構成されている、
前記使い捨てカートリッジ。
〔第２の付記２〕
混合チャンバと、前記混合チャンバに事前装填され封止されている流体物質とを備える、
第２の付記１に記載の使い捨てカートリッジ。
〔第２の付記３〕
前記混合チャンバに関連付けられた他の壊れやすい封止材を備え、
前記他の壊れやすい封止材が、前記混合チャンバに対する所定閾値を超える圧力に応じて開くように構成されている、
第２の付記２に記載の使い捨てカートリッジ。
〔第２の付記４〕
前記少なくとも一つの封止材が、複数の封止材を備え、
前記第２の試薬チャンバが、出力流体の分析を行う分析ユニットに結合可能であり、
前記第２の試薬チャンバと前記分析ユニットの間の流れを阻止する、第２の壊れやすい封止材を備え、
前記第１の壊れやすい封止材と前記第２の壊れやすい封止材とが、異なる時間に開くように構成されている、
第２の付記１に記載の使い捨てカートリッジ。
〔第２の付記５〕
前記第１の試薬チャンバと前記第２の試薬チャンバの少なくとも一方が、出力流体の分析を行う分析ユニットに結合可能である、
第２の付記１に記載の使い捨てカートリッジ。
〔第２の付記６〕
前記第１の試薬チャンバは、入口封止材を備え、前記入口封止材は、当該入口封止材が残っている時に前記入口を介して前記第１の試薬が流れることを阻止する、
第２の付記１に記載の使い捨てカートリッジ。
〔第２の付記７〕
前記入口封止材は、再封止可能な封止材を備える、
第２の付記６に記載の使い捨てカートリッジ。
〔第２の付記８〕
前記流路における第２の壊れやすい封止材が、前記第２の壊れやすい封止材が残っている時に前記第１の試薬又は前記第２の試薬が前記第２の試薬チャンバから流れ出ることを阻止できるように構成されている、
第２の付記１に記載の使い捨てカートリッジ。
〔第２の付記９〕
前記第１の試薬チャンバと前記第２の試薬チャンバの少なくとも一方が、出口流体を開口を介して分析ユニットに運ぶことができるように構成されている、
第２の付記１に記載の使い捨てカートリッジ。
〔第２の付記１０〕
前記流路における第２の壊れやすい封止材が、前記第２の壊れやすい封止材が残っている時に前記第１の試薬又は前記第２の試薬が前記開口から流れ出ることを阻止できるように構成されている、
第２の付記９に記載の使い捨てカートリッジ。
〔第２の付記１１〕
前記第１の試薬と前記第２の試薬の少なくとも一方が、流体状の少なくとも一つの高分子量ポリマーを含む、
第２の付記１に記載の使い捨てカートリッジ。
〔第２の付記１２〕
流体分析に使用するためのカートリッジであって、
混合チャンバ、第１の試薬チャンバ、及び第２の試薬チャンバを有する、複数のチャンバと、
少なくとも一つの流体チャネルと、
分析ユニットと、
使い捨てチャンバとを備え、
前記混合チャンバが、流体物質を含み、
前記第１の試薬チャンバが、第１の試薬を含み、
前記第２の試薬チャンバが、第２の試薬を含み、前記第１の試薬は前記第２の試薬とは異なるものであり、
前記混合チャンバが、試料流体を受けるように構成された第１の開口と、前記流体物質と混合された前記試料流体が前記混合チャンバから流れることを許容するように構成された第２の開口とを備え、前記第２の開口は前記少なくとも一つの流体チャネルに通じ、
前記第１の試薬チャンバが、前記試料流体を受けるように構成された第１の開口と、前記第１の試薬チャンバから前記試料流体と前記第１の試薬が流れることを許容するように構成された第２の開口とを備え、
前記第２の試薬チャンバが、前記試料流体と前記第１の試薬を受けるように構成された第１の開口と、前記第１の試薬と前記第２の試薬に混合された前記試料流体が前記第２の試薬チャンバから流れることを許容するように構成された第２の開口とを備え、
前記混合チャンバと前記第２の試薬チャンバとが、前記少なくとも一つの流体チャネルを介して前記分析ユニットに接続されており、
前記分析ユニットが、使い捨てチャネルを介して前記使い捨てチャンバに接続されている、
カートリッジ。
〔第２の付記１３〕
前記混合チャンバによって前記試料流体が受けられた後、前記試料流体が前記流体物質と混合され、前記混合チャンバから分析のために前記分析ユニットに流れ、その後に前記使い捨てチャンバに流れる、
第２の付記１２に記載のカートリッジ。
〔第２の付記１４〕
前記第１の試薬と前記第２の試薬に混合された前記試料流体が、前記第２の試薬チャンバから分析のために前記分析ユニットに流れる、
第２の付記１３に記載のカートリッジ。
〔第２の付記１５〕
前記第１の試薬と前記第２の試薬に混合された前記試料流体が、前記分析ユニットから前記使い捨てチャンバに流れる、
第２の付記１４に記載のカートリッジ。
〔第２の付記１６〕
前記分析ユニットが、マイクロチャネルを備える、
第２の付記１３に記載のカートリッジ。
〔第２の付記１７〕
前記混合チャンバが、少なくとも、第１のコンパートメントと第２のコンパートメントを備え、
前記混合チャンバの狭窄路が、前記第１のコンパートメントを前記第２のコンパートメントに内通する、
第２の付記１３に記載のカートリッジ。
〔第２の付記１８〕
少なくとも前記第１のコンパートメントの表面の少なくとも一部が圧迫可能部分を有し、前記試料流体が前記混合チャンバに受けられた後、前記第１のコンパートメントの前記圧迫可能部分を押すことによって、前記第１のコンパートメントの前記試料流体と前記流体物質とが前記混合チャンバの前記狭窄路を介して前記第２のコンパートメントに流される、
第２の付記１７に記載のカートリッジ。
〔第２の付記１９〕
少なくとも前記第２のコンパートメントの表面の少なくとも一部が圧迫可能部分を有し、前記試料流体が前記混合チャンバに受けられた後、前記第２のコンパートメントの前記圧迫可能部分を押すことによって、前記第２のコンパートメントの前記流体物質が前記狭窄路を介して前記第１のコンパートメントに流される、
第２の付記１８に記載のカートリッジ。
〔第２の付記２０〕
少なくとも前記第１のコンパートメントの表面の少なくとも一部が圧迫可能部分を有し、少なくとも前記第２のコンパートメントの表面の少なくとも一部が圧迫可能部分を有する、
第２の付記１７に記載のカートリッジ。
〔第２の付記２１〕
前記試料流体が前記混合チャンバに受けられた後、代替的に前記第１のコンパートメントの前記圧迫可能部分と前記第２のコンパートメントの前記圧迫可能部分を押すことによって、前記試料流体を前記混合チャンバの前記流体物質に混合する、
第２の付記２０に記載のカートリッジ。
〔第２の付記２２〕
前記混合チャンバの前記第１の開口が、前記混合チャンバから前記試薬が流れることを阻止するように構成されており、前記第１の封止材が、前記試料流体が前記混合チャンバに入ることを許容すると共に、前記試料流体が前記混合チャンバに入っている間に、前記試料流体と前記流体物質が前記第１の開口を介して前記混合チャンバから出ることを阻止するように構成されている、
第２の付記１２に記載のカートリッジ。
〔第２の付記２３〕
前記混合チャンバの前記第２の開口が、第２の封止材であって、前記第２の封止材が開くまで、前記混合チャンバからの流れを阻止するように構成された前記第２の封止材を備える、
第２の付記１２に記載のカートリッジ。
〔第２の付記２４〕
前記第１のコンパートメントの前記圧迫可能部分と前記第２のコンパートメントの前記圧迫可能部分を押すことによって、前記第２の封止材を開かせるように、前記試料流体と前記流体物質が前記第２の封止材に対して押され、それによって前記試料流体と前記流体物質の混合物が前記混合チャンバから出ることを許容する、
第２の付記２０に記載のカートリッジ。
〔第２の付記２５〕
少なくとも前記第１の試薬チャンバの一部が圧迫可能部分を有する、
第２の付記１２に記載のカートリッジ。
〔第２の付記２６〕
少なくとも前記第２の試薬チャンバの一部が圧迫可能部分を有する、
第２の付記１２に記載のカートリッジ。
〔第２の付記２７〕
少なくとも前記第１の試薬チャンバの一部が圧迫可能部分を有し、少なくとも前記第２の試薬チャンバの一部が圧迫可能部分を有する、
第２の付記１２に記載のカートリッジ。
〔第２の付記２８〕
前記試料流体が前記第１の試薬チャンバに受けられた後、代替的に前記第１の試薬チャンバの前記圧迫可能部分と前記第２の試薬チャンバの前記圧迫可能部分を押すことによって、前記試料流体、前記第１の試薬,及び前記第２の試薬をさらに混合する、
第２の付記２７に記載のカートリッジ。
〔第２の付記２９〕
前記試料流体が前記第１の試薬チャンバに受けられた後、前記第１の試薬チャンバの前記圧迫可能部分と前記第２の試薬チャンバの前記圧迫可能部分を押すことによって、前記第２の封止材を開かせるように、前記試料流体、前記第１の試薬,及び前記第２の試薬の混合物が前記第２の試薬チャンバの第２の封止材に対して押され、それによって前記試料流体、前記第１の試薬,及び前記第２の試薬の混合物が前記第２の試薬チャンバから出ることを許容する、
第２の付記２７に記載のカートリッジ。
〔第２の付記３０〕
前記試料流体として供給された血液が、前記混合チャンバ又は前記第１の試薬チャンバの一つに導入される、
第２の付記１２に記載のカートリッジ。
〔第２の付記３１〕
前記流体物質が、少なくとも一つの高分子量ポリマーを含む、
第２の付記１２に記載のカートリッジ。
〔第２の付記３２〕
前記第１の試薬が、流体状の少なくとも一つの高分子量ポリマーを含む、
第２の付記１２に記載の使い捨てカートリッジ。
〔第２の付記３３〕
前記第２の試薬が、流体状の少なくとも一つの高分子量ポリマーを含む、
第２の付記１２に記載の使い捨てカートリッジ。
〔第２の付記３４〕
流体分析に使用するためのカートリッジであって、
試料流体を受けるように構成された混合チャンバを備え、
前記混合チャンバには、流体物質が事前装填されており、
前記混合チャンバの第１の開口は、前記流体物質が前記混合チャンバから流れることを阻止する第１の封止材を備え、
前記混合チャンバの第２の開口は、第２の封止材であって、前記第２の封止材が開くまで、前記混合チャンバからの流れを阻止する前記第２の封止材を備え、
前記混合チャンバの表面の少なくとも一部が圧迫可能部分を有する、
カートリッジ。
〔第２の付記３５〕
前記混合チャンバが、第１のコンパートメントと第２のコンパートメントを備え、
前記第１のコンパートメントと前記第２のコンパートメントが、前記混合チャンバの狭窄路を介して内通し、
前記第１のコンパートメントの表面の少なくとも一部が圧迫可能部分を有し、
前記試料流体が前記混合チャンバに受けられた後、前記圧迫可能部分を押すことによって、前記第１のコンパートメントの前記試料流体と前記流体物質とが前記混合チャンバの前記狭窄路を介して前記第２のコンパートメントに流され、それによって前記試料流体と前記流体物質とが混合される、
第２の付記３４に記載のカートリッジ。
〔第２の付記３６〕
前記第１の封止材が、前記試料流体が前記混合チャンバに入ることを許容すると共に、前記試料流体が前記混合チャンバに入っている間に、前記試料流体と前記流体物質が前記第１の開口を介して前記混合チャンバから出ることを阻止するように構成されている、
第２の付記３４に記載のカートリッジ。
〔第２の付記３７〕
少なくとも前記第２のコンパートメントの一部が圧迫可能部分を有する、
第２の付記３５に記載のカートリッジ。
〔第２の付記３８〕
代替的に前記第１のコンパートメントの前記圧迫可能部分と前記第２のコンパートメントの前記圧迫可能部分を押すことによって、前記試料流体と試薬をさらに混合する、
第２の付記３７に記載のカートリッジ。
〔第２の付記３９〕
前記第１のコンパートメントの前記圧迫可能部分と前記第２のコンパートメントの前記圧迫可能部分を押すことによって、前記第２の封止材を開かせるように、前記試料流体と流体物質が前記第２の封止材に対して押される、
第２の付記３７に記載のカートリッジ。
〔第２の付記４０〕
前記流体物質が、少なくとも一つの高分子量ポリマーを含む、
第２の付記３４に記載のカートリッジ。
〔第２の付記４１〕
前記混合チャンバが、第１のコンパートメントと第２のコンパートメントを備える、
第２の付記３４に記載のカートリッジ。
〔第２の付記４２〕
前記第１のコンパートメントと前記第２のコンパートメントが前記混合チャンバの狭窄路によって内通されており、それによって前記第１のコンパートメントと前記第２のコンパートメントの間における前記混合チャンバの前記狭窄路を通る流れが、前記試料流体と流体物質を混同するように構成されている、
第２の付記４１に記載のカートリッジ。
〔第２の付記４３〕
前記第２の封止材が、前記混合チャンバにおける所定閾値を超えた圧力に応じて開くように構成されている、
第２の付記３４に記載のカートリッジ。
〔第２の付記４４〕
少なくとも一つの流体チャネルと、
分析ユニットと、
使い捨てチャンバとを備え、
前記試料流体が前記混合チャンバに受けられた後、前記試料流体が、前記流体物質と混合され、前記混合チャンバから分析のために前記分析ユニットに流れ、その後に前記使い捨てチャンバに流れる、
第２の付記３４に記載のカートリッジ。
〔第２の付記４５〕
前記分析ユニットが、マイクロチャネルを備える、
第２の付記４４に記載のカートリッジ。